(57)【要約】  本発明に係る空気調和機の室内機は、熱交換器と、電気品取付板及び該電気品取付板の前面側に取り付けられた表示装置を有し、前記熱交換器の前方に配置された電気品ユニットと、前記電気品ユニットを前面側から覆い、前記表示装置と対向する位置に、前記表示装置を露出させる表示窓又は前記表示装置の光を透過する透過部を有する電気品カバーと、を備え、前記電気品カバーは、前記電気品取付板に固定されている。
2019187038.tif 000002
【特許請求の範囲】
【請求項１】
熱交換器と、
電気品取付板及び該電気品取付板の前面側に取り付けられた表示装置を有し、前記熱交換器の前方に配置された電気品ユニットと、
前記電気品ユニットを前面側から覆い、前記表示装置と対向する位置に、前記表示装置を露出させる表示窓又は前記表示装置の光を透過する透過部を有する電気品カバーと、
を備え、
前記電気品カバーは、前記電気品取付板に固定されている空気調和機の室内機。
【請求項２】
前記電気品取付板には、貫通穴が形成され、
前記電気品カバーは、前記貫通穴に挿入されて前記電気品取付板に引っ掛かる第１爪を備え、
前記電気品カバーは、前記第１爪が前記電気品取付板に引っ掛かることで、前記電気品取付板に固定されている請求項１に記載の空気調和機の室内機。
【請求項３】
前記第１爪は、下部に、下方へ突出する第１突起を備え、
前記電気品取付板は、前記貫通穴の下縁部に、前記第１突起に引っ掛かる第２突起を備えている請求項２に記載の空気調和機の室内機。
【請求項４】
前記第１爪は、前記電気品カバーの下端部に設けられている請求項２又は請求項３に記載の空気調和機の室内機。
【請求項５】
前記熱交換器の下方に配置されたドレンパンを備え、
前記電気品取付板は、前記ドレンパンに引っ掛かる第２爪を備え、
前記電気品ユニットは、前記第２爪が前記ドレンパンに引っ掛かることで、前記ドレンパンに固定されている請求項１〜請求項４のいずれか一項に記載の空気調和機の室内機。
【発明の詳細な説明】
【技術分野】
【０００１】
本発明は、熱交換器の前方に電気品ユニットが配置された空気調和機の室内機に関するものである。
【背景技術】
【０００２】
空気調和機の室内機は、光を使った表示により運転状況及び設定状態等を使用者に知らせる表示装置を備えている。この表示装置は、電気品ユニットに設けられている。また、電気品ユニットは、例えば、室内機の筐体内において、熱交換器の左右どちらか一方の側方に配置されている。また、近年では、筐体内での熱交換器の占有比率を増加させるため、熱交換器の左右方向の長さを従来よりも長くした室内機も提案されている。この様な室内機においては、表示装置を備えた電気品ユニットは、筐体内において熱交換器の前方に配置されている。【０００３】
熱交換器の前方に電気品ユニットが配置された従来の室内機の場合、正面意匠パネルを開いた際、電気品ユニットが露出した状態となり、意匠性が損なわれてしまう。このため、熱交換器の前方に電気品ユニットが配置された従来の室内機には、電気品ユニットを前方から覆う電気品カバーを備えたものも提案されている（例えば、特許文献１参照）。【０００４】
電気品カバーによって電気品ユニットを前方から覆う場合、表示装置の表示を使用者に見えるようにするためには、電気品カバーにおける表示装置と対向する位置に、表示装置を露出させる表示窓又は表示装置の光を透過する透過部を設ける必要がある。例えば、特許文献１に記載の室内機の場合、電気品カバーにおける表示装置と対向する位置は、室内機の外郭の一部を構成する。このため、特許文献１に記載の室内機の場合、電気品カバーにおける表示装置と対向する位置は、表示装置の光を透過する透過部となっている。また例えば、電気品カバーにおける表示装置と対向する位置が室内機の外郭の一部を構成しない場合、電気品カバーにおける表示装置と対向する位置は、表示装置を露出させる表示窓となる。そして、室内機の外郭における表示窓と対向する位置に、表示装置の光を透過する透過部が設けられる。
【先行技術文献】
【特許文献】
【０００５】
【特許文献１】特開２０１６−３５３４２号公報
【発明の概要】
【発明が解決しようとする課題】
【０００６】
熱交換器の前方に電気品ユニットが配置され、該電気品ユニットが電気品カバーによって前方から覆われている従来の室内機は、電気品ユニットと電気品カバーとが異なる部品に固定されている。例えば、特許文献１に記載の室内機の場合、室内機の外郭の背面部分を構成する背面ケースを備えている。また、背面ケースの前面部には、熱交換器の一方の端部を支持する熱交換器支持板が固定されている。そして、特許文献１に記載の室内機の電気品ユニットは、一方の端部が背面ケースの前面部に固定され、他方の端部が熱交換器支持板に固定されている。また、特許文献１に記載の室内機の電気品カバーは、熱交換器の下方に配置されたドレンパンに固定されている。【０００７】
このため、熱交換器の前方に電気品ユニットが配置され、該電気品ユニットが電気品カバーによって前方から覆われている従来の室内機は、電気品ユニットの表示装置と、電気品カバーの表示窓又は透過部との間に位置ずれが起こりやすい。したがって、従来の室内機は、表示装置が電気品カバーの表示窓又は透過部の中心位置から偏って配置されてしまい、意匠性が悪くなるという課題があった。【０００８】
本発明は、上述の課題を解決するためになされたものであり、電気品ユニットの表示装置と電気品カバーの表示窓又は透過部との間の位置ずれを従来よりも抑制できる空気調和機の室内機を提供することを目的とする。
【課題を解決するための手段】
【０００９】
本発明に係る空気調和機の室内機は、熱交換器と、電気品取付板及び該電気品取付板の前面側に取り付けられた表示装置を有し、前記熱交換器の前方に配置された電気品ユニットと、前記電気品ユニットを前面側から覆い、前記表示装置と対向する位置に、前記表示装置を露出させる表示窓又は前記表示装置の光を透過する透過部を有する電気品カバーと、を備え、前記電気品カバーは、前記電気品取付板に固定されている。
【発明の効果】
【００１０】
本発明に係る空気調和機の室内機においては、表示装置及び電気品カバーの双方が電気品取付板に固定されている。このため、本発明に係る空気調和機の室内機は、表示装置と電気品カバーの表示窓又は透過部との間の位置ずれを従来よりも抑制できる。
【図面の簡単な説明】
【００１１】
【図１】本発明の実施の形態に係る空気調和機の室内機を正面側の斜め下方から観察した斜視図である。
【図２】本発明の実施の形態に係る空気調和機の室内機を正面側の斜め上方から観察した分解斜視図である。
【図３】本発明の実施の形態に係る空気調和機の室内機の縦断面図である。
【図４】本発明の実施の形態に係る空気調和機の室内機を正面側の斜め下方から観察した斜視図であり、正面意匠パネル及び電気品カバーが取り外されている状態を示す図である。
【図５】本発明の実施の形態に係る空気調和機の室内機の電気品ユニットを正面側の斜め下方から観察した斜視図である。
【図６】本発明の実施の形態に係る空気調和機の室内機を正面側の斜め下方から観察した斜視図であり、正面意匠パネルが取り外されている状態を示す図である。
【図７】図６の表示装置周辺を拡大した要部拡大図である。
【図８】本発明の実施の形態に係る空気調和機の室内機の縦断面図であり、電気品ユニットの表示装置周辺を示す要部拡大図である。
【図９】本発明の実施の形態に係る空気調和機の室内機の電気品カバーを正面側から観察した斜視図である。
【図１０】本発明の実施の形態に係る空気調和機の室内機の電気品カバーを背面側から観察した斜視図である。
【図１１】図１０のＡ部拡大図である。
【図１２】本発明の実施の形態に係る空気調和機の室内機の電気品取付板を正面側から観察した斜視図である。
【図１３】本発明の実施の形態に係る空気調和機の室内機の電気品取付板を背面側から観察した斜視図である。
【図１４】図１３のＢ部拡大図である。
【図１５】本発明の実施の形態に係る空気調和機の室内機において、電気品取付板の貫通穴に電気品カバーの第１爪が挿入された状態を背面側から観察した斜視図である。
【図１６】本発明の実施の形態に係る空気調和機の室内機において、電気品取付板の貫通穴に電気品カバーの第１爪が挿入された状態を示す縦断面図である。
【図１７】本発明の実施の形態に係る空気調和機の室内機において、電気品ユニットとドレンパンとの固定箇所周辺を示す縦断面図である。
【発明を実施するための形態】
【００１２】
実施の形態．
図１は、本発明の実施の形態に係る空気調和機の室内機を正面側の斜め下方から観察した斜視図である。図２は、本発明の実施の形態に係る空気調和機の室内機を正面側の斜め上方から観察した分解斜視図である。図３は、本発明の実施の形態に係る空気調和機の室内機の縦断面図である。図４は、本発明の実施の形態に係る空気調和機の室内機を正面側の斜め下方から観察した斜視図であり、正面意匠パネル及び電気品カバーが取り外されている状態を示す図である。なお、図３では、紙面左側が室内機１００の正面側となっている。
【００１３】
本実施の形態に係る空気調和機の室内機１００は、空調する部屋の壁面に設置される壁掛け型の室内機であり、略直方体形状の外郭１を備えている。この外郭１の上面部には、該外郭１内に室内空気を吸い込むための吸込口１ａが形成されている。また、外郭１の下面部には、外郭１から室内へ空気を吹き出すための吹出口１ｂが形成されている。また、吹出口１ｂには、上下風向調整板３が設けられている。上下風向調整板３は、例えば前側端部が上下方向に揺動自在となるように、吹出口１ｂに設けられている。上下風向調整板３の角度を変更することにより、吹出口１ｂから吹き出される空気の上下方向の向きが調整される。なお、室内機１００が停止中、上下風向調整板３は、吹出口１ｂを塞ぐ。すなわち、上下風向調整板３も外郭１の一部を構成している。
【００１４】
なお、外郭１の構成は特に限定されないが、本実施の形態では、外郭１は、背面板８、フィルター自動清掃ユニット７、左側面意匠パネル４、右側面意匠パネル５、下面意匠パネル６、及び正面意匠パネル２を備えている。また、外郭１内には、送風ファン１１、熱交換器１２、ドレンパン１４、電気品ユニット２０及び電気品カバー３１等が収納されている。
【００１５】
詳しくは、背面板８は、外郭１の背面部を構成する部品である。室内機１００が部屋の壁面に設置される際、背面板８が部屋の壁面に固定される。この背面板８の前面側には、送風ファン１１が配置されている。送風ファン１１が回転することにより、室内空気が吸込口１ａから外郭１内に吸い込まれ、外郭１内の空気が吹出口１ｂから室内へ吹き出される。送風ファン１１は、例えば、背面板８に回転自在に取り付けられている。
【００１６】
送風ファン１１が回転した際に外郭１内で発生する空気の流れ方向において、送風ファン１１の上流側となる位置には、熱交換器１２が設けられている。すなわち、送風ファン１１が回転した際に外郭１内で発生する空気の流れ方向において、外郭１の吸込口１ａと送風ファン１１との間となる位置に、熱交換器１２が設けられている。熱交換器１２は、側面視において、送風ファン１１の前方、上方及び後方を囲うように配置されている。熱交換器１２は、例えば、背面板８にネジ固定されている。
【００１７】
熱交換器１２の下方には、該熱交換器１２から落下してきた露を受けるドレンパン１４が配置されている。ドレンパン１４は、例えば、背面板８にネジ固定されている。なお、本実施の形態では、ドレンパン１４を背面板８に固定する前に、ドレンパン１４に上下風向調整板３等を取り付け、ドレンパン組立体１３を製作する。そして、ドレンパン組立体１３を背面板８に固定している。
【００１８】
熱交換器１２の上方から前方にかけて、フィルター自動清掃ユニット７が配置されている。フィルター自動清掃ユニット７は、外郭１の前面部の一部と上面部とを構成するユニットである。フィルター自動清掃ユニット７の上面部は格子状の桟で構成されている。これら桟の間の開口部が吸込口１ａとなっている。また、フィルター自動清掃ユニット７は、吸込口１ａから吸い込まれた空気中の粉塵を捕捉するフィルターと、該フィルターから粉塵を回収する清掃装置とを、備えている。フィルター自動清掃ユニット７は、例えば、背面板８にネジ固定されている。
【００１９】
熱交換器１２の前方には、電気品ユニット２０が配置されている。この電気品ユニット２０は、光を使った表示により運転状況及び設定状態等を使用者に知らせる表示装置２３を備えている。電気品ユニット２０の上端部は、例えば、フィルター自動清掃ユニット７にネジ固定されている。また、本実施の形態では、電気品ユニット２０の下端部は、ドレンパン１４に固定されている。電気品ユニット２０の詳細構成、及び電気品ユニット２０のドレンパン１４への固定構成については後述する。
【００２０】
電気品ユニット２０は、前面側から電気品カバー３１で覆われている。この電気品カバー３１は、電気品ユニット２０の表示装置２３と対向する位置に、表示装置２３を露出させる表示窓３２を有している。電気品カバー３１の上端部は、例えば、フィルター自動清掃ユニット７にネジ固定されている。また、電気品カバー３１の下端部は、電気品ユニット２０に固定されている。電気品カバー３１の詳細構成、及び電気品カバー３１の電気品ユニット２０への固定構成については後述する。
【００２１】
室内機１００を正面側から観察した際に熱交換器１２の左側となる位置には、左側面意匠パネル４が配置されている。また、室内機１００を正面側から観察した際に熱交換器１２の右側となる位置には、右側面意匠パネル５が配置されている。左側面意匠パネル４は、外郭１の左側側面部を構成する部品である。右側面意匠パネル５は、外郭１の右側側面部を構成する部品である。左側面意匠パネル４及び右側面意匠パネル５は、例えば、背面板８にネジ固定されている。
【００２２】
下面意匠パネル６は、外郭１の下面部のうち、吹出口１ｂよりも後方の部分を構成する部品である。下面意匠パネル６は、例えば、背面板８にネジ固定されている。本実施の形態では、下面意匠パネル６は、該下面意匠パネル６と背面板８との間に左側面意匠パネル４及び右側面意匠パネル５が挟み込まれた状態で、背面板８にネジ固定されている。
【００２３】
正面意匠パネル２は、外郭１の前面部を構成する部品である。正面意匠パネル２の上端部は、例えば左側面意匠パネル４及び右側面意匠パネル５に回転自在に取り付けられている。すなわち、正面意匠パネル２は、外郭１の前面側を、開閉自在に覆っている。フィルター自動清掃ユニット７の清掃装置に回収された粉塵を捨てる際等に、正面意匠パネル２が開かれる。また、正面意匠パネル２における電気品カバー３１の表示窓３２と対向する位置には、電気品ユニット２０の表示装置２３の光を透過する透過部が設けられている。これにより、表示装置２３の表示が使用者に見えるようになっている。
【００２４】
続いて、電気品ユニット２０の詳細構成及び電気品カバー３１の詳細構成について説明する。
【００２５】
図５は、本発明の実施の形態に係る空気調和機の室内機の電気品ユニットを正面側の斜め下方から観察した斜視図である。図６は、本発明の実施の形態に係る空気調和機の室内機を正面側の斜め下方から観察した斜視図であり、正面意匠パネルが取り外されている状態を示す図である。図７は、図６の表示装置周辺を拡大した要部拡大図である。図８は、本発明の実施の形態に係る空気調和機の室内機の縦断面図であり、電気品ユニットの表示装置周辺を示す要部拡大図である。なお、図８では、紙面左側が室内機１００の正面側となっている。
【００２６】
電気品ユニット２０は、電気品取付板２１を備えている。また、電気品ユニット２０は、電気品取付板２１の前面側に取り付けられた制御基板、表示装置２３、送受信装置２４、及び赤外線センサ２５を備えている。制御基板は、室内機１００の運転制御を司るものであり、電気品取付板２１の左右方向の略中心部に配置されている。また、制御基板は、前面側からカバー２２で覆われている。
【００２７】
表示装置２３は、例えば、電気品ユニット２０を正面側から観察した際に制御基板及びカバー２２の右側となる位置に配置されている。送受信装置２４は、赤外線を使って、図示せぬリモートコントローラーからの指示信号を受信する受信部と、図示せぬリモートコントローラーへ情報信号を発信する送信部とを有している。送受信装置２４は、表示装置２３の上方に配置されている。赤外線センサ２５は、室内機１００が設置されている部屋の熱画像を取得するセンサである。赤外線センサ２５は、電気品ユニット２０を正面側から観察した際に表示装置２３の右側となる位置に配置されている。
【００２８】
上述のように、電気品ユニット２０は、熱交換器１２の前方に配置されている。ここで、壁掛け型である本実施の形態に係る室内機１００は、部屋の壁面の上部に設置されることが多い。このため、図８に示すように、電気品ユニット２０は、表示装置２３、送受信装置２４が斜め下方を向くように傾いて、熱交換器１２の前方に配置されている。
【００２９】
上述のように、電気品カバー３１は、前面側から電気品ユニット２０を覆う部品である。また、上述のように、電気品カバー３１は、電気品ユニット２０の表示装置２３と対向する位置に、表示装置２３を露出させる表示窓３２を有している。また、電気品カバー３１は、電気品ユニット２０の送受信装置２４と対向する位置に、送受信装置２４を露出させる窓３３を有している。
【００３０】
なお、本実施の形態では、電気品カバー３１は、電気品ユニット２０の赤外線センサ２５を覆わない構成となっている。そして、赤外線センサ２５は、該赤外線センサ２５の先端部が露出するように、センサカバー９で覆われている。センサカバー９は、例えば、右側面意匠パネル５にネジ固定されている。本実施の形態では、センサカバー９は、該センサカバー９と右側面意匠パネル５との間に電気品カバー３１が挟み込まれた状態で、右側面意匠パネル５にネジ固定されている。
【００３１】
続いて、電気品カバー３１の電気品ユニット２０への固定構成について説明する。
【００３２】
本実施の形態のように電気品ユニット２０を熱交換器１２の前方に配置した場合、正面意匠パネル２を開いた際に、電気品ユニット２０を前方から覆っている電気品カバー３１が見える状態となる。このため、電気品ユニット２０の表示装置２３と電気品カバー３１の表示窓３２との間に位置ずれが起こり、表示装置２３が表示窓３２の中心位置から偏って配置されてしまうと、意匠性が悪くなる。
【００３３】
このため、本実施の形態に係る室内機１００においては、電気品カバー３１は、電気品ユニット２０の電気品取付板２１に固定されている。すなわち、本実施の形態に係る室内機１００においては、表示装置２３及び電気品カバー３１の双方が電気品取付板２１に固定されている。このため、表示装置２３及び電気品カバー３１の双方は、同一の部品によって位置決めされることとなる。したがって、本実施の形態に係る室内機１００は、表示装置２３と表示窓３２との間に位置ずれを従来よりも抑制でき、意匠性が向上する。なお、電気品カバー３１が電気品ユニット２０の電気品取付板２１に固定されることにより、電気品ユニット２０の送受信装置２４と電気品カバー３１の窓３３との間の位置ずれも抑制でき、意匠性が向上する。
【００３４】
ここで、表示装置２３と表示窓３２との間での位置ずれを従来よりも抑制できる効果は、電気品カバー３１を電気品ユニット２０をネジ固定しても得られるし、爪を用いて電気品カバー３１を電気品ユニット２０を固定しても得られる。本実施の形態では、以下の様に、爪を用いて電気品カバー３１を電気品ユニット２０を固定している。これにより、電気品カバー３１の電気品ユニット２０への固定を容易にすることもできる。
【００３５】
図９は、本発明の実施の形態に係る空気調和機の室内機の電気品カバーを正面側から観察した斜視図である。図１０は、本発明の実施の形態に係る空気調和機の室内機の電気品カバーを背面側から観察した斜視図である。図１１は、図１０のＡ部拡大図である。図１２は、本発明の実施の形態に係る空気調和機の室内機の電気品取付板を正面側から観察した斜視図である。図１３は、本発明の実施の形態に係る空気調和機の室内機の電気品取付板を背面側から観察した斜視図である。図１４は、図１３のＢ部拡大図である。図１５は、本発明の実施の形態に係る空気調和機の室内機において、電気品取付板の貫通穴に電気品カバーの第１爪が挿入された状態を背面側から観察した斜視図である。また、図１６は、本発明の実施の形態に係る空気調和機の室内機において、電気品取付板の貫通穴に電気品カバーの第１爪が挿入された状態を示す縦断面図である。なお、図１６では、紙面左側が室内機１００の正面側となっている。
【００３６】
図９〜図１１に示すように、電気品カバー３１は、下端部に、後方へ突出する第１爪３４が設けられている。なお、本実施の形態では、４つの第１爪３４が電気品カバー３１に設けられている。一方、図１２〜図１４に示すように、電気品取付板２１には、４つの第１爪３４と対応する位置に、貫通穴２６が形成されている。すなわち、電気品取付板２１には、４つの貫通穴２６が形成されている。
【００３７】
図１５及び図１６に示すように、電気品カバー３１の各第１爪３４を電気品取付板２１の貫通穴２６に挿入することにより、電気品カバー３１の各第１爪３４は、電気品取付板２１の貫通穴２６の周辺部に引っ掛かる。これにより、電気品カバー３１が電気品取付板２１に固定される。上述のように、電気品カバー３１を電気品取付板２１に固定することにより、表示装置２３及び電気品カバー３１の双方が電気品取付板２１によって位置決めされることとなる。したがって、本実施の形態に係る室内機１００は、表示装置２３と表示窓３２との間に位置ずれを従来よりも抑制でき、意匠性が向上する。
【００３８】
ここで、図１６に示すように、本実施の形態では、各第１爪３４は、下部に、下方へ突出する第１突起３５を備えている。また、電気品取付板２１は、各貫通穴２６の下縁部に、第１突起３５に引っ掛かる第２突起２８を備えている。第２突起２８が第１突起３５に引っ掛かることにより、電気品取付板２１に対する電気品カバー３１の上下左右方向への動きをさらに制限することができる。すなわち、表示装置２３に対する表示窓３２の上下左右方向への動きをさらに制限することができる。このため、表示装置２３と表示窓３２との間に位置ずれをさらに抑制でき、意匠性をさらに向上させることができる。
【００３９】
なお、本実施の形態では４つの第１爪３４と４つの貫通穴２６とを用いて電気品カバー３１と電気品取付板２１とを固定したが、第１爪３４及び貫通穴２６の数は任意である。第１爪３４及び貫通穴２６の数は、電気品カバー３１と電気品取付板２１とを固定する際に要求される強度に基づいて、適宜決定すればよい。
【００４０】
また、本実施の形態では電気品カバー３１の下端部に各第１爪３４を設けたが、各第１爪３４が設けられる位置は、電気品カバー３１の下端部に限定されない。しかしながら、電気品カバー３１の下端部に各第１爪３４を設けることにより、以下のような効果を得ることができる。
【００４１】
電気品カバー３１は、正面意匠パネル２を開いた際に使用者に見られる意匠部品である。このため、電気品カバー３１は、デザインの欠陥に注意が必要である。ここで、一般的に、電気品カバー３１は、樹脂の射出成形により製作される。樹脂の射出成形品に爪等の突起を設ける場合、突起が形成されている面の反対面に、表面が凹む現象であるヒケが発生しやすい。このため、電気品カバー３１を樹脂の射出成形により製作する場合、電気品カバー３１の背面の例えば中央部等に各第１爪３４を配置すると、電気品カバー３１の正面において使用者が発見しやすい箇所にヒケが発生してしまう可能性がある。そして、使用者が発見しやすい箇所にヒケが発生すると、電気品カバー３１の意匠性が悪化する。一方、電気品カバー３１の下端部に各第１爪３４を設けると、仮にヒケが発生した場合でも、ヒケは電気品カバー３１の下端部という使用者から非常に見えづらい箇所に発生することとなる。このため、電気品カバー３１の下端部に各第１爪３４を設けることにより、電気品カバー３１の意匠性が悪化することを抑制できる。
【００４２】
また、電気品カバー３１の意匠性が悪化することを抑制しようとした場合、使用者が発見しやすい箇所にヒケが発生しないようにするためには、電気品カバー３１の背面の例えば中央部等に補強用の突起等を設けることもできない。このため、従来の室内機では、輸送中に該室内機を落下させてしまったとき等、衝撃によって電気品カバーが変形してしまい、電気品カバーが外れる場合があった。一方、本実施の形態に係る室内機１００においては、上述のように、電気品カバー３１は、電気品取付板２１に固定されている。そして、電気品取付板２１は、意匠部品ではないため、樹脂の射出成形により製作される場合でも、補強用の突起を設ける場所が限定されない。このため、電気品カバー３１の補強は容易である。電気品カバー３１を補強された電気品取付板２１に固定することにより、電気品取付板２１の補強が電気品カバー３１の補強にもなるため、衝撃によって電気品カバー３１が変形してしまうことを抑制でき、電気品カバーが外れることを抑制できる。
【００４３】
続いて、電気品ユニット２０のドレンパン１４への固定構成について説明する。
【００４４】
図１７は、本発明の実施の形態に係る空気調和機の室内機において、電気品ユニットとドレンパンとの固定箇所周辺を示す縦断面図である。なお、図１７では、紙面左側が室内機１００の正面側となっている。
【００４５】
図１２〜図１４に示すように、電気品ユニット２０の電気品取付板２１は、後方へ突出する第２爪２７が設けられている。なお、本実施の形態では、４つの第２爪２７が電気品取付板２１に設けられている。一方、図１７に示すように、ドレンパン１４には、側面視が鉤型の凸部１５が設けられている。電気品取付板２１の各第２爪２７をドレンパン１４の凸部１５に引っ掛けることにより、電気品ユニット２０は、ドレンパン１４へ固定されている。なお、本実施の形態では、左右方向において、貫通穴２６と第２爪２７とが同位置になっている。しかしながら、これは貫通穴２６及び第２爪２７の配置の一例である。左右方向において、貫通穴２６と第２爪２７とを異なる位置に配置してもよい。
【００４６】
以上、本実施の形態に係る空気調和機の室内機１００は、熱交換器１２と、電気品ユニット２０と、電気品カバー３１とを備えている。電気品ユニット２０は、電気品取付板２１及び該電気品取付板２１の前面側に取り付けられた表示装置２３を有し、熱交換器１２の前方に配置されている。電気品カバー３１は、電気品ユニット２０を前面側から覆い、表示装置２３と対向する位置に、表示装置２３を露出させる表示窓３２を有している。そして、電気品カバー３１は、電気品ユニット２０の電気品取付板２１に固定されている。
【００４７】
本実施の形態に係る空気調和機の室内機１００においては、表示装置２３及び電気品カバー３１の双方が電気品取付板２１に固定されている。このため、本実施の形態に係る空気調和機の室内機１００は、表示装置２３と電気品カバー３１の表示窓３２との間の位置ずれを従来よりも抑制できる。
【００４８】
なお、電気品カバー３１における表示装置２３と対向する位置が室内機１００の外郭１の一部を構成する場合、表示窓３２に換えて、電気品カバー３１における表示装置２３と対向する位置に、表示装置２３の光を透過する透過部を設けてもよい。表示装置２３と電気品カバー３１の透過部との間の位置ずれを従来よりも抑制できる。
【符号の説明】
【００４９】
１  外郭、１ａ  吸込口、１ｂ  吹出口、２  正面意匠パネル、３  上下風向調整板、４  左側面意匠パネル、５  右側面意匠パネル、６  下面意匠パネル、７  フィルター自動清掃ユニット、８  背面板、９  センサカバー、１１  送風ファン、１２  熱交換器、１３  ドレンパン組立体、１４  ドレンパン、１５  凸部、２０  電気品ユニット、２１  電気品取付板、２２  カバー、２３  表示装置、２４  送受信装置、２５  赤外線センサ、２６  貫通穴、２７  第２爪、２８  第２突起、３１  電気品カバー、３２  表示窓、３３  窓、３４  第１爪、３５  第１突起、１００  室内機。
【図１】
2019187038.tif 000003
【図２】
2019187038.tif 000004
【図３】
2019187038.tif 000005
【図４】
2019187038.tif 000006
【図５】
2019187038.tif 000007
【図６】
2019187038.tif 000008
【図７】
2019187038.tif 000009
【図８】
2019187038.tif 000010
【図９】
2019187038.tif 000011
【図１０】
2019187038.tif 000012
【図１１】
2019187038.tif 000013
【図１２】
2019187038.tif 000014
【図１３】
2019187038.tif 000015
【図１４】
2019187038.tif 000016
【図１５】
2019187038.tif 000017
【図１６】
2019187038.tif 000018
【図１７】
2019187038.tif 000019
【手続補正書】
【提出日】令和2年7月14日(2020.7.14)
【手続補正１】
【補正対象書類名】明細書
【補正対象項目名】０００９
【補正方法】変更
【補正の内容】
【０００９】
本発明に係る空気調和機の室内機は、熱交換器と、電気品取付板及び該電気品取付板の前面側に取り付けられた表示装置を有し、前記熱交換器の前方に配置された電気品ユニットと、前記電気品ユニットを前面側から覆い、前記表示装置と対向する位置に、前記表示装置を露出させる表示窓又は前記表示装置の光を透過する透過部を有する電気品カバーと、を備え、前記電気品取付板には、貫通穴が形成され、前記電気品カバーは、前記貫通穴に挿入されて前記電気品取付板に引っ掛かる第１爪を備え、前記電気品カバーは、前記第１爪が前記電気品取付板に引っ掛かることで、前記電気品取付板に固定されている。
【手続補正２】
【補正対象書類名】特許請求の範囲
【補正対象項目名】全文
【補正方法】変更
【補正の内容】
【特許請求の範囲】
【請求項１】
熱交換器と、
電気品取付板及び該電気品取付板の前面側に取り付けられた表示装置を有し、前記熱交換器の前方に配置された電気品ユニットと、
前記電気品ユニットを前面側から覆い、前記表示装置と対向する位置に、前記表示装置を露出させる表示窓又は前記表示装置の光を透過する透過部を有する電気品カバーと、
を備え、
前記電気品取付板には、貫通穴が形成され、
前記電気品カバーは、前記貫通穴に挿入されて前記電気品取付板に引っ掛かる第１爪を備え、
前記電気品カバーは、前記第１爪が前記電気品取付板に引っ掛かることで、前記電気品取付板に固定されている空気調和機の室内機。
【請求項２】
前記第１爪は、下部に、下方へ突出する第１突起を備え、
前記電気品取付板は、前記貫通穴の下縁部に、前記第１突起に引っ掛かる第２突起を備えている請求項１に記載の空気調和機の室内機。
【請求項３】
前記第１爪は、前記電気品カバーの下端部に設けられている請求項１又は請求項２に記載の空気調和機の室内機。
【請求項４】
前記熱交換器の下方に配置されたドレンパンを備え、
前記電気品取付板は、前記ドレンパンに引っ掛かる第２爪を備え、
前記電気品ユニットは、前記第２爪が前記ドレンパンに引っ掛かることで、前記ドレンパンに固定されている請求項１〜請求項３のいずれか一項に記載の空気調和機の室内機。
【国際調査報告】
2019187038.tif 000020
2019187038.tif 000021
2019187038.tif 000022
2019187038.tif 000023